(57)【特許請求の範囲】
【請求項１】
１枚のブランクシートから一体的に打ち抜かれた箱体形成片から成り、この箱体形成片には、互いに平行に連接された側面と、組立状態で略平行に対面する一対の側面の端部から連なって箱体の底部の略半分をそれぞれ閉鎖する一対の底蓋片と、前記一対の底蓋片が設けられた一対の側面のそれぞれ間に位置する一対の側面から連なって設けられ前記一対の底蓋片の一方に交差して糊付けされる一対のフラップと、前記箱体形成片の一部から連なって設けられ前記一対の底蓋片の境界部分の裏面に重ねられるカバー片が設けられているロック部カバー付包装用箱において、
前記カバー片は、前記底蓋片または前記フラップから連接し、
前記底蓋片に、前記側面から離れた先端縁部のほぼ中心に形成された切込部と、前記先端縁部の前記切込部よりも一方の端部寄りの位置に連接し前記フラップに糊付けされる糊付片と、前記切込部よりも他方の端部寄りの位置に連接した前記カバー片が設けられていることを特徴とするロック部カバー付包装用箱。
【請求項２】
１枚のブランクシートから一体的に打ち抜かれた箱体形成片から成り、この箱体形成片には、互いに平行に連接された側面と、組立状態で略平行に対面する一対の側面の端部から連なって箱体の底部の略半分をそれぞれ閉鎖する一対の底蓋片と、前記一対の底蓋片が設けられた一対の側面のそれぞれ間に位置する一対の側面から連なって設けられ前記一対の底蓋片の一方に交差して糊付けされる一対のフラップと、前記箱体形成片の一部から連なって設けられ前記一対の底蓋片の境界部分の裏面に重ねられるカバー片が設けられているロック部カバー付包装用箱において、
前記カバー片には、前記カバー片が連接する箱体形成片の裏面に折り返して糊付けされる糊付部と、前記糊付部に連接し前記一対の底蓋片の内側に当接する被覆部が設けられ、
前記被覆部は、前記箱体形成片の組立工程で、前記箱体形成片の他の片が通過する部分が切除された形状であることを特徴とするロック部カバー付包装用箱。
【発明の詳細な説明】
【技術分野】
【０００１】
この発明は、底面のフラップと蓋片がワンタッチで組み上げ可能な包装用箱に関する。
【背景技術】
【０００２】
従来、一枚のブランクシートから一体に打ち抜かれた箱体形成片を組み立てた包装用箱として、折り畳んで糊付けされた状態から、各側面が互いに９０度になるように引き起こすと、ワンタッチで底部が組み立てられるものがあった。
【０００３】
このような包装用箱は、特許文献１，２に開示されているように、互いに平行に連接された側面と、一つの側面の端部に連続して設けられた第一底蓋片と、この側面に、組立状態で平行に対面する側面の端部に連続して設けられた第二底蓋片が設けられている。第一底蓋片と第二底蓋片は、その先端縁部の中心から一方の端部寄りの位置まで達する切込部が設けられている。第一底蓋片と第二底蓋片の切込部の位置は、箱体形成片を展開した状態では同じ方向であり、組立状態では反対向きとなり互い違いに位置する。第一底蓋片と第二底蓋片の、切込部より端部側には、略三角形の糊付片が折罫線で区切られて設けられている。また、第一底蓋片と第二底蓋片が設けられている側面の間に位置する側面には、台形状のフラップがそれぞれ連続して設けられている。
【０００４】
このような包装用箱の組み立て方法は、第一底蓋片と第二底蓋片の各糊付片を隣接するフラップに糊付けし、各側面が互いに９０度になるように引き起こす。すると、第一底蓋片と第二底蓋片は糊付片に引き起こされて底部を形成する。このとき第一底蓋片と第二底蓋片の先端縁部は、他方の底蓋片の裏面側に差し込まれ、切込部の底部同士が当接して底面を閉鎖する。
【特許文献１】実用新案登録第３０９５９０４号
【特許文献２】特開２００５−１１２３８４号
【発明の開示】
【発明が解決しようとする課題】
【０００５】
上記従来の技術の場合、包装用箱の底面は、第一底蓋片と第二底蓋片の切込部が隣接しているだけなので、隙間が生じやすい。このため、この隙間からホコリなどの異物が進入したり、内容物が脱落するおそれがあった。また、内容物が重いと第一底蓋片と第二底蓋片が少し開いて下方に膨出する恐れもあった。
【０００６】
この発明は、上記従来の技術の問題点に鑑みてなされたものであり、簡単な構造で底面部が補強され異物の侵入や内容物の脱落を確実に防ぐロック部カバー付包装用箱を提供することを目的とする。
【課題を解決するための手段】
【０００７】
本発明は、1枚のブランクシートから一体的に打ち抜かれた箱体形成片から成り、この箱体形成片には、互いに平行に連接された側面と、組立状態で略平行に対面する一対の側面の端部から連なって箱体の底部の略半分をそれぞれ閉鎖する一対の底蓋片と、前記一対の底蓋片が設けられた一対の側面のそれぞれ間に位置する一対の側面から連なって設けられ前記一対の底蓋片の一方に交差して糊付けされる一対のフラップと、前記箱体形成片の一部から連なって設けられ前記一対の底蓋片の境界部分の裏面に重ねられるカバー片が設けられているロック部カバー付包装用箱である。
【０００８】
さらに、前記カバー片は、前記底蓋片または前記フラップから連接し、前記底蓋片には、前記側面から離れた先端縁部のほぼ中心に形成された切込部と、前記先端縁部の前記切込部よりも一方の端部寄りの位置に連接し前記フラップに糊付けされる糊付片と、前記切込部よりも他方の端部寄りの位置に連接して前記カバー片が設けられている。
【０００９】
前記カバー片は、前記カバー片が連接する箱体形成片の裏面に折り返して糊付けされる糊付部と、前記糊付部に連接し前記一対の底蓋片の内側に当接する被覆部が設けられ、前記被覆部は、前記箱体形成片の組立工程で、前記箱体形成片の他の片が通過する部分が切除された形状である。
【発明の効果】
【００１０】
本発明のロック部カバー付包装用箱は、簡単な構造であり、一対の底蓋片の境界部分を裏面から覆うカバー片が設けられ、包装用箱の底面部が補強されるとともに一対の底蓋片の境界からの異物の侵入や内容物の落下を防ぐことができる。
【発明を実施するための最良の形態】
【００１１】
以下、この発明の実施形態について図面に基づいて説明する。図１〜図４はこの発明の一実施形態のロック部カバー付包装用箱１０を示すものであり、この実施形態のロック部カバー付包装用箱１０は、厚紙等の一枚のブランクシートを打ち抜いて形成された箱体形成片１２を組み立てて設けられている。
【００１２】
図１は箱体形成片１２を表面から見た展開図であり、箱体形成片１２は、側面１４，１６，１８，２０が、互いに平行に連接して形成されている。さらに側面１４の側縁部には、ロック部カバー付包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１３】
側面１４の、隣接する側面１６、糊付片２２の連接方向に対して平行に位置する端部には、コの字形の破断線が端部側に開口して形成された開封用破断線３２が設けられている。側面１４の、開封用破断線３２と反対側の端部には、第一底蓋片３４が折罫線３６で区切られて設けられている。第一底蓋片３４の、折罫線３６に対して平行な先端縁部３４ａには、第一底蓋片３４の中心に略Ｖ字形の切込部３８が形成されている。切込部３８の折罫線３６に近い鋭角の部分には、折罫線３６に対して平行な短い直線４０が形成されている。直線４０と折罫線３６間の長さは、直線４０が、このロック部カバー付包装用箱１０の組立状態で底面の中心線付近に位置する長さ、つまり側面１６，２０の半分の幅に設けられている。
【００１４】
第一底蓋片３４の先端縁部３４ａの、切込部３８よりも折罫線２６に近い部分には、略三角形の糊付片４２が折罫線４４で区切られて設けられ、折罫線４４は折罫線３６に対してほぼ４５度で交差する方向に設けられている。
【００１５】
切込部３８よりも折罫線２４に近い先端縁部３４ａには、カバー片４６が折罫線４８で区切られるとともに、連続して設けられている。カバー片４６には、先端縁部３４ａを一辺とする矩形の糊付部４６ａが設けられている。そして糊付部４６ａの、折罫線２６側に隣接し先端縁部３４ａに対してほぼ直角の一辺には、被覆部４６ｂが折罫線５０で区切られて設けられている。被覆部４６ｂの形状は、糊付部４６ａの折罫線４８とその平行な先端縁部の間隔と同じ幅で延長して突出し、側面１４の折罫線２６の延長上の位置に対して所定幅手前に達し、その位置からさらに、折罫線２６の延長線近傍に頂点が位置する直角三角形状に延びている。そして、折罫線４８の延長上の側縁部からほぼ直交する直線部分が短く形成され、その直線部分の端部から折罫線４８に平行な先端縁部に鋭角に交差する直角三角形の斜辺部が形成され、底面部の他の片が通過する部分が切除された形状に設けられている。
【００１６】
側面１６の、側面１４の開封用破断線３２が設けられた端部に隣接する端部には、台形状のフラップ５２が折罫線５４で区切られて設けられている。また側面１６の、折罫線３６に隣接する端部には、略三角状のフラップ５６が折罫線５８で区切られて設けられている。
【００１７】
側面１８の、側面１６の折罫線５４に隣接する端部には、上蓋片６０が折罫線６２で区切られて設けられている。上蓋片６０の折罫線６２の反対側の端部には、さらに差込片６４が折罫線６６で区切られて設けられている。折罫線６６の両端部には、差込片６４がフラップ５２，８０と係止しやすいように短い切り込み線が設けられている。
【００１８】
そして側面１８の、折罫線６２と反対側の端部には、第二底蓋片６８が折罫線７０で区切られて設けられている。第二底蓋片６８の、折罫線７０から折罫線７０に対して平行な先端縁部６８ａには、第二底蓋片６８の中心に略Ｖ字形の切込部７２が形成されている。切込部７２の折罫線７０に近い鋭角の部分は、折罫線７０に対して平行な短い直線７４が形成されている。直線７４と折罫線７０間の長さは、直線７４が、ロック部カバー付包装用箱１０の組立状態で底面の中心線付近に位置する長さ、つまり側面１６，２０の半分の幅に設けられている。
【００１９】
第二底蓋片６８の先端縁部６８ａの、切込部７２よりも折罫線３０に近い部分には、略三角形の糊付片７６が折罫線７８で区切られて設けられ、折罫線７８は折罫線７０に対してほぼ４５度で交差する方向に設けられている。
【００２０】
側面２０の、側面１８の折罫線６２に隣接する端部には、台形状のフラップ８０が折罫線８２で区切られて設けられている。また側面２０の、折罫線７０に隣接する端部には、略三角状のフラップ８４が折罫線８６で区切られて設けられている。
【００２１】
次に、この実施形態のロック部カバー付包装用箱１０の組立方法について説明する。なお、ここでは図１がロック部カバー付包装用箱１０の箱体形成片１２の表面を見たものであり、箱体形成片１２の表面が凸になる折り方を正折り、そして裏面が凸になる折り方を逆折りと称する。
【００２２】
まず、カバー片４６の糊付部４６ａの裏面に糊８８を塗布し、折罫線４８を正折する。これによりカバー片４６の糊付部４６ａは、糊８８により第一底蓋片３４の裏面に糊付けされる。次に第一底蓋片３４、第二底蓋片６８、フラップ５６，８４を、折罫線３６，７０，５８，８６で、各々正折する。第一底蓋片３４の糊付片４２と第二底蓋片６８の糊付片７６を、折罫線４４，７８でそれぞれ逆折し、糊付片４２，７６の裏面に糊９０，９１を塗布し、次に糊付片２２の表面に糊９２を塗布し、図２に示す状態となる。なお、図２は箱体形成片１２の裏面を見たものである。
【００２３】
そして、折罫線２６，３０を正折りし、このとき糊付片２２を側面２０の裏面側に挿入しながら、なおかつフラップ８４の裏面に重ねるように差し込む。これにより、第一底蓋片３４の糊付片４２の裏面は、糊９０によりフラップ５６の表面に糊付けされ、第二底蓋片６８の糊付片７６の裏面は、糊９１によりフラップ８４の表面に糊付けされる。そして、側面２０は糊９２により、糊付片２２に糊付けされる。
【００２４】
この後、収容物を入れる際に、折罫線２４，２６，２８，３０を各々９０度に正折りして四角形の箱体にする。このとき、第一底蓋片３４は側面１４からフラップ５６と共に引き起こされて折罫線３６で直角に正折りされ、同時に第二底蓋片６８は側面１８からフラップ８４と共に引き起こされて折罫線７０で直角に正折りされる。さらに第一底蓋片３４の先端縁部３４ａが第二底蓋片６８の切込部７２の裏面に差し込まれ、第二底蓋片６８の先端縁部６８ａが第一底蓋片３４の切込部３８の裏面に差し込まれる。そして、切込部３８，７２の直線４０，７４が互いに直列に並び、直線４０，７４と切込部３８，７２の間の角部が互いに係止され、ロックされて底面が形成される。
【００２５】
このとき、先端縁部３４ａに連接するカバー片４６は、折り畳んで接着された状態では側面１４の裏面に重ねられているが、図３、図４に示すように、折罫線２４，２６，２８，３０を各々９０度に正折りして四角形の箱体にするときに、第一底蓋片３４に引き起こされ、第一底蓋片３４と第二底蓋片６８の裏面に重ねられ、第一底蓋片３４と第二底蓋片６８の切込部３８，７２付近を覆い、第一底蓋片３４と第二底蓋片６８の隙間をカバーする。引き起こされる工程では、カバー片４６の被覆部４６ｂは折罫線５０で糊付部４６ａと区切られて自由に曲がることが可能である上、折罫線４８に近い部分が切り欠かかれているために、フラップ５６や第二底蓋片６８が通過する空間の支障とならず、円滑に移動する。この状態で商品をカバー片４６に載せるようにしてロック部カバー付包装用箱１０の内側に入れる。
【００２６】
次に折罫線５４，８２でフラップ５２，８０を９０度に正折りし、その後折罫線６２で上蓋片６０を９０度に正折りし、差込片６４を折罫線６６で正折りし、差込片６４を側面１４の裏面側に差し込んで係止し、上面が形成される。
【００２７】
この実施形態のロック部カバー付包装用箱１０によれば、簡単な構造であり、第一底蓋片３４と第二底蓋片６８の隙間をカバー片４６が内部から覆うため、第一底蓋片３４と第二底蓋片６８の間からホコリ等の異物が進入したり、内容物が外に出たりすることがなく、内容物である商品の品質を保持することができる。また、カバー片４６によりロック部カバー付包装用箱１０の底部が補強されるため、内容物が重い場合も底部が外側に膨らまず、確実に収容することができる。底部の組立は、折罫線２４，２６，２８，３０を各々９０度に引き起こすだけであり、ワンタッチで完了し容易である。
【００２８】
なお、この発明は上記実施形態に限定されるものではなく、カバー片や各糊付片の形状や大きさ等、適宜変更可能である。カバー片は、第一底蓋片に連接して設けられる以外に、第二底蓋片やフラップ又は側面に連接して設けられても良い。包装用箱の材質は、紙やプラスチック等、自由に選択可能である。
【図面の簡単な説明】
【００２９】
【図１】この発明の一実施形態のロック部カバー付包装用箱の展開図である。
【図２】この実施形態のロック部カバー付包装用箱の組立工程を示す部分破断展開図である。
【図３】この実施形態のロック部カバー付包装用箱の底面図である。
【図４】この実施形態のロック部カバー付包装用箱の底面部を箱体内側から見た平面図である。
【符号の説明】
【００３０】
１０  ロック部カバー付包装用箱
１２  箱体形成片
１４，１６，１８，２０  側面
２２，４２，７６  糊付片
３４  第一底蓋片
３８，７２  切込部
４６  カバー片
５２，５６，８０，８４  フラップ
６０  上蓋片
６８  第二底蓋片
【図１】
0004799099.tif 000002
【図２】
0004799099.tif 000003
【図３】
0004799099.tif 000004
【図４】
0004799099.tif 000005